(57)【特許請求の範囲】
【請求項１】
絶縁基板と、該絶縁基板上面のキャビティに収納された半導体素子と、前記絶縁基板上面に接合され前記半導体素子を密封する蓋体と、前記絶縁基板の底面に形成されるとともに、絶縁溝により電気的導通が解除された複数の端子電極とを具備する半導体素子収納基板であって、前記複数の端子電極が前記絶縁基板の側面まで引き出され、前記絶縁基板の側面に前記絶縁溝が形成されていることを特徴とする半導体素子収納基板。
【請求項２】
絶縁基板と、該絶縁基板上面のキャビティに収納された半導体素子と、前記絶縁基板上面に接合され前記半導体素子を密封する蓋体と、前記絶縁基板の底面に形成されるとともに、絶縁溝により電気的導通が解除された複数の端子電極とを具備する半導体素子収納基板であって、前記複数の端子電極が前記絶縁基板の上面まで引き出され、前記絶縁溝が、前記絶縁基板の上面と側面との角部に形成されていることを特徴とする半導体素子収納基板。
【請求項３】
蓋体が金属からなり、絶縁基板がセラミックスからなることを特徴とする請求項１または２記載の半導体素子収納基板。
【発明の詳細な説明】
【０００１】
【発明の属する技術分野】
本発明は、半導体素子収納基板に関するものであり、特に、複数の端子電極が絶縁溝により電気的導通が解除された半導体素子収納基板に関するものである。
【０００２】
【従来技術】
従来、半導体素子収納用パッケージや混成集積回路装置等の半導体素子収納基板に用いられる絶縁基板は、一般にアルミナ質焼結体などの電気絶縁性のセラミック焼結体を用い、その内部及び表面に、タングステン（Ｗ）、モリブデン（Ｍｏ）、マンガン（Ｍｎ）等の高融点金属からなる複数の配線導体層を配設するとともに、各配線導体層を、絶縁基板内に設けた前記と同様の高融点金属からなるスルーホール導体で接続した構造を有している。
【０００３】
また、絶縁基板の下面には、外部回路との接続のための端子電極が形成されており、その表面には電解メッキ法などにより形成されたメッキ層を有している。
【０００４】
そして、絶縁基板を、例えば半導体素子収納用基板に適用した場合には、図５に示すように、その絶縁基板５１のキャビティ５３底面に半導体素子５５をガラス、樹脂、ロウ材などの接着剤を介して接着固定するとともに、半導体素子５５の各電極がキャビティ５３周辺に位置する配線導体層にボンディングワイヤ５７を介して電気的に接続され、金属やセラミックスからなる蓋体５９が、キャビティ５３を塞ぐように前記接着剤と同様の封止材を介して絶縁基板５１に接合され、絶縁基板５１のキャビティ５３内に半導体素子５５が気密に収納されていた。
【０００５】
また、絶縁基板５１の下面には、メタライズあるいはスパッタなどによって形成された下地電極層と、この下地電極層の表面に電解メッキ法により形成されたメッキ層とからなる複数の端子電極６１が形成されており、これらの端子電極６１は、絶縁基板５１底面に形成された絶縁溝６３により相互の電気的な接続が解除されている。これらの端子電極６１は、キャビティ５３周辺に形成された配線導体層にビアホール導体６５により電気的に接続されている。
【０００６】
これらの端子電極６１には、鉄−ニッケル（Ｆｅ−Ｎｉ）合金等からなる外部リード端子（図示せず）が、銀ロウ等のロウ材を介して電気的に接続されており、これらの外部リード端子を外部回路に接続することによって、半導体素子の各電極は、ボンディングワイヤ、配線導体層、ビアホール導体及び外部リード端子を介して外部回路に電気的に接続されていた。
【０００７】
従来、複数の端子電極は、絶縁基板の下面に、後述する電解メッキ法をより効率的に行うべく、メタライズあるいはスパッタなどによって連続する下地電極層を形成し、この下地電極層上に、電解メッキ法によりメッキ層を形成する。この状態では、複数の端子電極は電気的に短絡している。
【０００８】
この後、複数の端子電極が導通している導通部で、蓋体と絶縁基板との接合部よりも内側の部分を、リュータにより研摩加工して除去し、各端子電極を電気的に絶縁していた。
【０００９】
【発明が解決しようとする課題】
しかしながら、上記従来の方法においては、複数の端子電極の導通部をリュータにより研摩加工して除去しているため、研摩加工により、絶縁基板の下面に絶縁溝が形成されるが、この絶縁溝は、半導体素子収納基板への半導体素子の実装工程、その後の、半導体素子収納基板への蓋体の接合工程において、もしくは、半導体素子の実装、蓋体の接合が完了した半導体素子収納基板の信頼性を確認するために実施される、温度サイクル試験などの信頼性試験において、主に蓋体と絶縁基板の熱膨張率差に起因して生じる絶縁基板の熱応力により、絶縁溝から絶縁基板の破壊が生じるという問題があった。
【００１０】
具体的には、図５に示すように、従来、蓋体５９と絶縁基板５１との接合部６７よりも内側の部分を、リュータにより研摩加工して除去し、各端子電極６１を電気的に絶縁していたため、蓋体５９と絶縁基板５１との接合部６７よりも内側に絶縁溝６３が形成されている。
【００１１】
ところで、本発明者等は、蓋体５９と絶縁基板５１の熱膨張率差に起因して生じる熱応力は、蓋体５９と絶縁基板５１との接合部６７の内側で大きく、接合部６７よりも外側になると、自由端となるため殆ど熱応力は発生しなくなることを知見した。従って、従来では、各端子電極６１を電気的に絶縁する絶縁溝６３が、接合部６７よりも内側に存在していたため、熱応力が大きく、しかも構造上絶縁溝６３に応力集中し、絶縁溝６３から亀裂等の破損が生じるという問題があった。
【００１２】
即ち、図５、図６に示すように、絶縁溝６３が、蓋体５９の絶縁基板５１への接合部６７よりも内側に形成されていたため、半導体素子収納基板に熱負荷が負荷されると、絶縁基板５１と蓋体５９の熱膨張率差に主に起因する熱変形が生じ、この熱変形により、絶縁基板５１には曲げ応力が生じる。
【００１３】
この曲げ応力は、図６のように変形する場合は、絶縁基板５１と蓋体５９との接合部６７の領域内が大きく、この領域に絶縁溝６３が存在すると、絶縁溝６３が破壊の起点となり、破損が生じるという問題があった。
【００１４】
従って、本発明は、蓋体と絶縁基板の熱膨張率差に起因して生じる熱応力による破損を抑制できる半導体素子収納基板を提供することを目的とする。
【００１５】
【課題を解決するための手段】
本発明の半導体素子収納基板は、絶縁基板と、該絶縁基板上面のキャビティに収納された半導体素子と、前記絶縁基板上面に接合され前記半導体素子を密封する蓋体と、前記絶縁基板の底面に形成されるとともに、絶縁溝により電気的導通が解除された複数の端子電極とを具備する半導体素子収納基板であって、前記複数の端子電極が前記絶縁基板の側面まで引き出され、前記絶縁基板の側面に前記絶縁溝が形成されていることを特徴とする。
【００１６】
蓋体と絶縁基板の熱膨張率差に起因して生じる熱応力は、蓋体と絶縁基板との接合部の内側で大きく、接合部よりも外側になると殆ど熱応力は発生しなくなるが、本発明の半導体素子収納基板では、複数の端子電極が絶縁基板の側面まで引き出され、この絶縁基板の側面に絶縁溝を形成することにより複数の端子電極相互間の電気的導通が解除されているため、絶縁溝は、蓋体と絶縁基板との接合部の外側に形成されており、この絶縁溝には殆ど熱応力は発生せず、絶縁溝からの破損を抑制することができる。
【００１７】
また、絶縁基板の底面に絶縁溝を形成する場合よりも、絶縁溝の幅を広くすることができ、不用意な短絡を防止することができる。
【００１８】
また、本発明は、絶縁基板と、該絶縁基板上面のキャビティに収納された半導体素子と、前記絶縁基板上面に接合され前記半導体素子を密封する蓋体と、前記絶縁基板の底面に形成されるとともに、絶縁溝により電気的導通が解除された複数の端子電極とを具備する半導体素子収納基板であって、前記複数の端子電極が前記絶縁基板の上面まで引き出され、前記絶縁溝が、前記絶縁基板の上面と側面との角部に形成されていることを特徴とする。
【００１９】
これにより、複数の端子電極相互間の電気的導通を、蓋体と絶縁基板との接合部の外側で解除できるとともに、絶縁基板角部にＣ面を形成することと同等の効果を得ることができるため、絶縁基板角部の不用意なかけ（チッピング）を抑制でき、信頼性をさらに向上できる。
【００２０】
また、本発明では、蓋体が金属からなり、絶縁基板がセラミックスからなる場合に効果的である。
【００２１】
即ち、半導体素子からの発熱を効果的に放散するためには、半導体素子収納基板に接合される蓋体として、銅やアルミ、コバールなどの金属材料からなるものが好ましいが、一般的に絶縁基板の材料として、セラミック材料からなる場合は、蓋体と絶縁基板の熱膨張率差が大きくなるため、本発明を採用することにより、絶縁基板の絶縁溝からの破壊をより効果的に抑制することができる。
【００２２】
【発明の実施の形態】
図１および図２は、本発明の半導体素子収納基板を説明するためのものであり、図１（ａ）は側面図、（ｂ）は断面図、図２は、図１の底面図を示すものである。
【００２３】
図１および図２において、符号２は主面が正方形状の絶縁基板を示している。
絶縁基板２は、アルミナ、窒化アルミ、窒化珪素、サイアロン（Ｓｉ、Ａｌ、Ｏ、Ｎを含有）、ムライトまたは炭化珪素などを主成分とするセラミックからなることが好ましい。
【００２４】
この絶縁基板２の上面には、段差部３を有する正方形状のキャビティ５が形成されており、そのキャビティ５内には半導体素子７が収容され、この半導体素子７は、段差部３表面に形成された配線導体層（図示せず）にワイヤ９により接続されている。
【００２５】
半導体素子７は、絶縁基板２のキャビティ５外周を囲むように絶縁基板２表面に接合された蓋体１１により気密封止されている。
【００２６】
そして、図２に示すように、絶縁基板２の下面外周部の各辺中央部には、外部回路と電気的に接続するための多数の端子電極１３が形成されており、これらの端子電極１３は、図１に示すように、絶縁基板２の側面まで延設されて引き出され、絶縁基板２の側面に形成された絶縁溝１５により、電気的な導通が阻止されている。
【００２７】
即ち、多数の端子電極１３は、端子電極作製時には電気的に導通しており、これらが、リュータにより研摩加工して形成された絶縁溝１５により、端子電極１３と電気的導通部１７に分離されている。尚、絶縁溝１５は、端子電極１３と電気的導通部１７とを分離するものであれば良く、リュータにより研摩加工した際には絶縁基板表面が少し窪んだすり傷痕が形成される。
【００２８】
電気的導通部１７は、例えば、絶縁基板２に形成されたメタライズ層（下地層）に電解メッキによりメッキ被覆を行う際に、多数の端子電極１３に同時に電流を印加するために各端子電極１３を短絡するために設けられたものである。
【００２９】
絶縁溝１５は、絶縁基板２の各辺にほぼ平行に形成されており、端子電極１３が形成されている部分のみ形成され、即ち絶縁基板２の四隅の部分には、絶縁溝１５は形成されていない。
【００３０】
端子電極１３には、キャビティ５の段差部３表面に形成された配線導体層が、ビアホール導体１９を介して接続され、これにより端子電極１３と半導体素子７が電気的に接続されている。ビアホール導体１９を確実に絶縁基板２内に形成し、端子電極１３にロウ材などによりリード端子などが接合される際の、ロウ材の流れによる不用意な端子電極間の短絡を防ぐため、絶縁基板２の下面から絶縁溝１５までの距離hは、基板厚みの０．５倍以上とされている。
【００３１】
端子電極１３は、絶縁基板２表面に下地電極層、メッキ層を順次積層して形成されている。尚、絶縁基板２の側面の下地電極層には、この部分を端子電極として用いない場合には、絶縁基板２の側面の下地電極層に必ずしもメッキ層を形成する必要はない。
【００３２】
以上のように形成された半導体素子収納基板では、図３に示すように、蓋体１１と絶縁基板２の熱膨張率差に起因して生じる熱応力は、蓋体１１と絶縁基板２との接合部２１の領域内で大きくなり、接合部２１よりも外側になると殆ど熱応力は発生しなくなるが、本発明の半導体素子収納基板では、絶縁溝１５が、絶縁基体２の側面に形成されているため、絶縁溝１５には熱応力が殆ど作用せず、この絶縁溝１５からの破損を抑制することができる。
【００３３】
また、本発明の半導体素子収納基板では、例えば、端子電極１３を半田等を介して母基板に接合する際には、半田等を底面の端子電極だけでなく、側面の端子電極をも半田等で接合することができ、強固に接合できる。
【００３４】
また、本発明では、図４に示すように、端子電極１３が絶縁基板２の上面まで形成され、絶縁溝３５を、絶縁基板の側面と上面の角部に形成することが望ましい。このように、絶縁溝３５を角部に形成することにより、基板角部にＣ面加工を施した効果と同等の効果を発現させることができ、この絶縁溝３５からの破損を確実に防止でき、信頼性をさらに向上できる。
【００３５】
尚、本発明は前述の例に限定されるものではなく、本発明の要旨を逸脱しない範囲であれば種々の変更が可能である。
【００３６】
【実施例】
先ず、Ａｌ2Ｏ3、ＳｉＯ2、ＭｇＯ、ＣａＯの原料粉末に適当な有機バインダー、可塑剤、溶剤を添加混合して泥漿を調整し、該泥漿を周知のドクターブレード法により厚さ約３００μｍのセラミックグリーンシートを成形した。
【００３７】
その後、半導体素子を収納するためのキャビティを形成する為に、厚さ３００μｍのグリーンシートの所定の位置に打ち抜き加工を施した。また、各配線層間の電気的導通を取るために設けるビアホールを形成するために、セラミックグリーンシートの所望の位置に打ち抜き加工を施した。
【００３８】
その後、Ｗを主成分とする粉末に、アルミナ粒子を添加し、有機バインダー、可塑剤、溶剤を添加混合して得た金属ペーストを、前記セラミックグリーンシートに設けたビアホール形成用の打ち抜き穴にスクリーン印刷により充填した。また、同時に所望のパターンをスクリーン印刷した。
【００３９】
半導体素子収納基板の裏面に端子電極を形成するために、グリーンシートに、各端子電極の導通メタライズのパターンもスクリーン印刷して形成した。
【００４０】
その後、導通メタライズのパターンが形成されたグリーンシート上に、所望のパターンが形成され、ビアホール内に金属ペーストが充填されたグリーンシートを、所望の積層数だけ積層し、さらに、その上に、キャビティ用の打ち抜き加工が施されたグリーンシートを積層し、積層成形体を作製した。この後、積層成形体の側面に、以後の工程で電解メッキを行う際に必要となる各端子電極を短絡するための導通メタライズのパターンをスクリーン印刷して形成した。
【００４１】
その後、積層成形体を水素（Ｈ2）と窒素（Ｎ2）の混合ガスから成る還元性雰囲気中、約１６００℃の温度で焼成して、主面が正方形状で一辺が３０ｍｍ、厚さ１ｍｍの絶縁基板を作製した。尚、キャビティは、絶縁基板表面で一辺が１４ｍｍの正方形状、半導体素子が固着される底面で一辺が８ｍｍの正方形状とした。また、ビアホール導体は、絶縁基板の端面から０．７５ｍｍの位置に形成した。
【００４２】
また、絶縁基板の大きさの違いによる本発明の効果を確認する為、主面が正方形状で一辺が２０ｍｍ、厚さ１ｍｍの絶縁基板も作製した。
【００４３】
この後、導通メタライズの全表面に、ニッケル（Ｎｉ）メッキ層を形成するために、絶縁基板のキャビティに形成された配線導体層と、絶縁基板の側面に形成された導通メタライズを電気的に短絡して、電解メッキ法により、絶縁基板の底面及び側面の導通メタライズ上にメッキ層を形成した。
【００４４】
その後、該評価用の絶縁基板に、一辺が３０ｍｍの絶縁基板の場合、一辺が２０ｍｍの正方形状のコバールからなる蓋体をロウ材を用いて接合した。また、絶縁基板の大きさが一辺が２０ｍｍの絶縁基板の場合、一辺が１６ｍｍの正方形状のコバールからなる蓋体を同様にして接合した。尚、本半導体素子収納基板は評価用であるため、半導体素子を実装しなかった。
【００４５】
その後、本発明と比較例の半導体素子収納基板に、各端子電極が短絡している部分を、リュータ（小形グラインダ）にて除去し、本発明では図１、図４に示すように、比較例では図５に示すように導通部を切断して絶縁溝を形成した。
【００４６】
即ち、試料Ｎｏ．１、４では、絶縁基板底面から０．６ｍｍの位置に絶縁溝を形成した図１の半導体素子収納基板、試料Ｎｏ．２、５では、絶縁基板上面と側面の角部に絶縁溝を形成した図４の半導体素子収納基板、試料Ｎｏ．３、６では、蓋体と絶縁基板との接合部の外縁端から内側に１．５ｍｍの位置に形成された図５の従来の半導体素子収納基板である。
【００４７】
かくして、得られた評価用の半導体素子収納基板が、実使用環境などで信頼性を損なうことがないか確認する為、半導体素子収納基板の下面を加熱する試験を実施した。具体的には、該半導体素子収納基板を３００℃に加熱されたヒーターブロックの上に置き、１時間保持後、絶縁基板に割れが生じるか否かを確認した。割れの確認は、浸透探傷液を用いた浸透探傷により行なった。
【００４８】
また、該評価用半導体素子収納基板の実際の使用状況を想定し、長期の信頼性確認の為に、各試料５個の半導体素子収納基板に、高温設定温度１２５℃、低温設定温度−４０℃の熱衝撃を１０００サイクル加える熱衝撃試験を施し、５００サイクル、１０００サイクルの各々で、前記同様の断面観察により絶縁基板の破壊の有無を確認した。これらの結果を表１に記載した。
【００４９】
【表１】
0004593802.tif 000002
【００５０】
この表１から明らかなように、本発明の範囲外の試料Ｎｏ．３、６と比較して、本発明の試料Ｎｏ．１、２、４、５では、ヒーターブロック加熱試験において絶縁基板に割れが生じず、また、熱衝撃試験を１０００サイクル印加しても割れが発生していないのに対して、絶縁溝を接合部の内側に形成した比較例の試料Ｎｏ．３、６では、絶縁溝を起点として割れが発生し、しかも、熱衝撃試験の印加回数が多くなるほど割れが発生し、信頼性が低下することが判る。
【００５１】
【発明の効果】
本発明の半導体素子収納基板では、複数の端子電極が絶縁基板の側面まで引き出され、この絶縁基板の側面に絶縁溝を形成することにより複数の端子電極相互間の電気的導通が解除されているため、絶縁溝は、蓋体と絶縁基板との接合部の外側に形成されており、この絶縁溝には殆ど熱応力は発生せず、絶縁溝からの破損を抑制することができる。これにより、半導体素子収納基板が使用される環境においても、絶縁基板に破壊が生じることなく高信頼性を確保できる。このため、外部の電子回路との電気的接続を高い信頼性を持って確保できる。
【図面の簡単な説明】
【図１】本発明の半導体素子収納基板を示すもので、（ａ）は側面図、（ｂ）は断面図である。
【図２】図１の底面図である。
【図３】本発明の半導体素子収納基板に作用する熱応力を示す説明図である。
【図４】絶縁基板上面と側面の角部に絶縁溝を形成した状態を示す断面図である。
【図５】従来の半導体素子収納基板を示す断面図である。
【図６】図５の半導体素子収納基板に作用する熱応力を示す説明図である。
【符号の説明】
２・・・絶縁基板
５・・・キャビティ
７・・・半導体素子
１１・・・蓋体
１３・・・端子電極
１５、３５・・・絶縁溝
【図１】
0004593802.tif 000003
【図２】
0004593802.tif 000004
【図３】
0004593802.tif 000005
【図４】
0004593802.tif 000006
【図５】
0004593802.tif 000007
【図６】
0004593802.tif 000008